(57)【要約】      （修正有）【課題】本発明は、装飾部材の動きがスムーズで、より微細に揺れたり、あるいは長時間揺れが続く揺れる装身具を得ようとするものである。【解決手段】装飾体２１を外部から見えるようにする開口部２２を備え、かつ前記装飾体２１を収納する装身具用枠体１３と、この装身具用枠体１３内に収納された装飾体２１とを備え、前記装身具用枠体１３と前記装飾体２１の両者を、前記装身具用枠体１３に大径部分の端部を取り付けられ、他方前記装飾体２１に小径部分の端部を取り付けられた、ほぼ錐形のコイルバネ３１によって連結し、前記装身具用枠体１３に作用するかすかな揺れでも前記装飾体２１が増幅された状態で揺れるようにしたことを特徴とする揺れる装身具１１。【選択図】図７
2019072008.tif 000002
【特許請求の範囲】
【請求項１】
装飾体を外部から見えるようにする開口部を備え、かつ前記装飾体を収納する装身具用枠体と、
この装身具用枠体内に収納され、前記開口部の位置に配設した装飾体とを備え、
前記装身具用枠体と前記装飾体の両者を、前記装身具用枠体に大径部分の端部を取り付けられ、他方前記装飾体に小径部分の端部を取り付けられた、錐形のコイルバネによって連結し、前記装身具用枠体に作用するかすかな揺れでも前記装飾体が増幅された状態で揺れるようにしたことを特徴とする揺れる装身具。
【請求項２】
前記装身具用枠体におけるコイルバネの大径部分の端部の取付部位が、前記装身具用枠体の適所に立設した連結用ポストと、該連結用ポストに設けたコイルバネの挿通孔とを有し、該挿通孔にコイルバネの先端を挿通した上、コイルバネを前記連結用ポストに溶接してなることを特徴とする請求項１に記載の揺れる装身具。
【請求項３】
前記装飾体におけるコイルバネの小径部分の端部の取付部位が、前記装飾体の適所に立設した連結用ポストと、該連結用ポストに設けたコイルバネの嵌合溝とを有し、該嵌合溝にコイルバネの先端をはめ込んで固定してなることを特徴とする請求項１または２に記載の揺れる装身具。
【発明の詳細な説明】
【技術分野】
【０００１】
本発明は、適宜の装飾体を小さい揺れで長期間揺れ続けるようにしたペンダントやブローチ、指輪、ブレスレット等の揺れる装身具に関する。
【背景技術】
【０００２】
近年、着用者の動きに応じて装飾体が揺動するように支持する構造の身飾品が種々提案されている。
（筒状のコイルバネを利用したもの）
特開２０１０−４６２１８号公報（特許文献１参照）の揺動装身具は、宝石を取り付けた装身具において、宝石を固定した石座をコイルばねにより、中央で大きく開口して側面で略カップ状をなし、装身具に形成された台座に連結し、ばね軸による石座と台座の連結は、石座に設けられた挿入口にばね軸の一端を挿入すると共に、台座に設けられた棒体にばね軸の他端を巻装したものである。
このような筒状のコイルバネを利用した例としては、実開昭５４−８７２２０号公報（特許文献２参照）や実開昭５４−８７２２１号公報（特許文献３参照）の発明が挙げられる。
【０００３】
（渦巻状のコイルバネを利用したもの）
実用新案登録第３１１５６９６号公報（特許文献４参照）の揺れるアクセサリーは、ブローチ状のアクセサリーの部品は、スプリング状の部品、揺れる部品を装着する棒状の部品、楕円状の保持具およびブローチ状のアクセサリーに固定するための棒状の部品により構成されるものである。
このような渦巻状のコイルバネを利用した例としては、特開２００３−２３０４１４号公報（特許文献５参照）等の発明が挙げられる。
【先行技術文献】
【特許文献】
【０００４】
【特許文献１】特開２０１０−４６２１８号公報
【特許文献２】実開昭５４−８７２２０号公報
【特許文献３】実開昭５４−８７２２１号公報
【特許文献４】実用新案登録第３１１５６９６号公報
【特許文献５】特開２００３−２３０４１４号公報
【発明の概要】
【発明が解決しようとする課題】
【０００５】
しかしながら、実際に筒状のコイルバネを利用した揺れる装身具においては、首振り範囲が大きすぎて所定の位置に収まりにくく、また渦巻状のコイルバネを利用した揺れる装身具においては、左右に揺れにくく動きにぎこちなさがあって、いずれにしてもより微細に揺れたり、あるいは長時間揺れが続く製品を得ることが難しいという問題があった。
本発明は、上記不具合を解消すべく発明されたものであり、装飾部材の動きがスムーズで、より微細に揺れたり、あるいは長時間揺れが続く装身具を得ようとするものである。
【課題を解決するための手段】
【０００６】
すなわち本発明の揺れる装身具は、装飾体を外部から見えるようにする開口部を備え、かつ前記装飾体を収納する装身具用枠体と、
この装身具用枠体内に収納された装飾体とを備え、
前記装身具用枠体と前記装飾体の両者を、前記装身具用枠体に大径部分の端部を取り付けられ、他方前記装飾体に小径部分の端部を取り付けられた、ほぼ錐形（円錐形や三角錐形、四角錐形等の上つぼまりのテーパ状を意味する）のコイルバネによって連結し、前記装身具用枠体に作用するかすかな揺れでも前記装飾体が増幅された状態で揺れるようにしたことを特徴とするものである。
【０００７】
本発明の揺れる装身具において、前記装身具用枠体におけるコイルバネの大径部分の端部の取付部位が、前記装身具用枠体の適所に立設した連結用ポストと、該連結用ポストに設けたコイルバネの挿通孔とを有し、該挿通孔にコイルバネの先端を挿通した上、コイルバネを前記連結用ポストに溶接してなることをも特徴とするものである。
【０００８】
本発明の揺れる装身具において、前記装飾体におけるコイルバネの小径部分の端部の取付部位が、前記装飾体の適所に立設した連結用ポストと、該連結用ポストに設けたコイルバネの嵌合溝とを有し、該嵌合溝にコイルバネの先端をはめ込んで固定してなることをも特徴とするものである。
【発明の効果】
【０００９】
以上説明したように本発明に係る揺れる装身具は、装身具用枠体と装飾体の両者を、前記装身具用枠体に大径部分の端部を取り付け、他方前記装飾体に小径部分の端部を取り付けた、ほぼ錐形のコイルバネによって連結することによって、装飾体の動きがスムーズで、より微細に揺れたり、あるいは長時間揺れが続く装身具を得ることができるようになった。
すなわち、筒状のコイルバネを利用した揺れる装身具における、首振り範囲が大きすぎて所定の位置に収まりにくいという欠点、また渦巻状のコイルバネを利用した揺れる装身具においては、左右に揺れにくく動きがぎこちないという欠点を解消することができた。
【図面の簡単な説明】
【００１０】
【図１】本発明の装身具の１実施例を示す概略平面図である。
【図２】コイルバネを透視した状態の概略平面図である。
【図３】その概略背面図である。
【図４】その概略正面図である。
【図５】図２における概略Ａ−Ａ断面図である。
【図６】図１の概略斜視図である。
【図７】図２の概略斜視図である。
【図８】装飾体が揺れている状態を示す概略断面図である。
【図９】その概略斜視図である。
【発明を実施するための形態】
【００１１】
以下本発明に係る揺れる装身具の実施の形態を、装身具としてペンダントを例にして説明する。
図１ないし図７に示すように、本実施例のペンダントトップからなる揺れる装身具１１は、例えば４隅に配置した連結部材１２を介して所定の間隔で一対の上部枠体１３ａおよび下部枠体１３ｂを配置した装身具用枠体１３を備えており、さらに前記装身具用枠体１３の上部枠体１３ａのほぼ中央部分には、装飾体２１を外部から見えるようにする開口部２２が設けてある。
ちなみに前記連結部材１２としては、適宜間隔の柱状や上部枠体１３ａおよび下部枠体１３ｂ間の全面を覆い隠す側壁状とすることができる。
【００１２】
また、前記装身具用枠体１３の下部枠体１３ｂの適所には、小さい連結用ポスト１４が立設してあり、この連結用ポスト１４にはコイルバネの挿通孔１５が穿設してあって、ほぼ円錐形のコイルバネ（本発明において錐形とは、円錐形や三角錐形、四角錐形等の上つぼまりのテーパ状を意味する）３１の大径部分の端部を挿通した上、前記挿通孔１５から突出された部分を折り返して抜け止めしてある。もちろん、該折返し部３２を溶接したり、接着剤等で前記連結用ポスト１４に強固に固着することが望ましい。またカシメ等の物理的手段を用いてもよい。
【００１３】
他方、前記装飾体２１にはその裏面に小さい連結用ポスト２３が立設してあり、この連結用ポスト２３にはコイルバネの嵌合溝２４が形成してあって、ほぼ円錐形のコイルバネ３１の小径部分の端部は該嵌合溝２４にはめ込んで固定してある。もちろん、コイルバネ３１の小径部分の端部を該嵌合溝２４に溶接したり、接着剤等で該嵌合溝２４に強固に固着することが望ましい。またカシメ等の物理的手段を用いてもよい。
そしてこのように、前記装身具用枠体１３と装飾体２１とをほぼ円錐形のコイルバネ３１を介して連結することにより、前記装身具用枠体１３に作用するかすかな揺れでも、図８および図９に示すように、前記装飾体２１が増幅された状態で揺れるようになったのである。
またその際、前記装飾体２１の動きが非常にスムーズで、より微細に揺れたり、あるいは長時間揺れが続くようになった。
【００１４】
前記ほぼ円錐形のコイルバネ３１の素材はステンレススチールを焼き入れしたものが望ましく、その太さもバネの弾性や耐久性、揺れやすさ等を考慮して適宜決定することができる。ちなみに、０．４〜０．５ｇ程度の重さの装飾体２１に対しては０．１ｍｍ程度、０．７〜０．８ｇ程度の重さの装飾体２１に対しては０．２ｍｍ程度、０．９ｇ〜程度の重さの装飾体２１に対しては０．３ｍｍ程度の太さの円錐形のコイルバネ３１を利用することができる。
ちなみに、ほぼ円錐形のコイルバネ３１の寸法の１例を以下に示す。
線径          φ０．１
最大外径      φ４．２５
最小外径      φ１．５
先端外径      φ１．５
総巻数        ４×２３°
巻方向        右
自由長（高さ）２．０ｍｍ
外観          良好（問題なし）
【産業上の利用可能性】
【００１５】
なお、前記各実施例では本発明に係る装身具としてペンダントトップを例にして説明したが、ペンダントに限定されるものではなく、ブレスレットやブローチ、イヤリングその他の装身具に適用してもよいことは勿論である。
なお、実施例では装飾体として蝶のデザインを例示したが、このようなモチーフに限定されないことはいうまでもない。
【符号の説明】
【００１６】
１１  揺れる装身具
１２  連結部材
１３  装身具用枠体
１３ａ  上部枠体
１３ｂ  下部枠体
１４  連結用ポスト
１５  挿通孔
２１  装飾体
２２  開口部
２３  連結用ポスト
２４  嵌合溝
３１  ほぼ円錐形のコイルバネ
３２  折返し部
【図１】
2019072008.tif 000003
【図２】
2019072008.tif 000004
【図３】
2019072008.tif 000005
【図４】
2019072008.tif 000006
【図５】
2019072008.tif 000007
【図６】
2019072008.tif 000008
【図７】
2019072008.tif 000009
【図８】
2019072008.tif 000010
【図９】
2019072008.tif 000011
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
装飾体を外部から見えるようにする開口部を備え、かつ前記装飾体を収納する装身具用枠体と、
この装身具用枠体内に収納され、前記開口部の位置に配設した装飾体と、前記装身具用枠体と前記装飾体の両者を連結する錐形のコイルバネを備え、
前記装身具用枠体には錐形のコイルバネの大径部分の端部を取り付け、他方前記装飾体には錐形のコイルバネの小径部分の端部を取り付けることにより、前記装身具用枠体に作用するかすかな揺れでも前記装飾体が増幅された状態で揺れるようにしたことを特徴とする揺れる装身具。
【請求項２】
前記装身具用枠体におけるコイルバネの大径部分の端部の取付部位が、前記装身具用枠体の適所に立設した連結用ポストと、該連結用ポストに設けたコイルバネの挿通孔とを有し、該挿通孔にコイルバネの先端を挿通した上、コイルバネを前記連結用ポストに溶接してなることを特徴とする請求項１に記載の揺れる装身具。
【請求項３】
前記装飾体におけるコイルバネの小径部分の端部の取付部位が、前記装飾体の適所に立設した連結用ポストと、該連結用ポストに設けたコイルバネの嵌合溝とを有し、該嵌合溝にコイルバネの先端をはめ込んで固定してなることを特徴とする請求項１または２に記載の揺れる装身具。
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
装飾体を外部から見えるようにする開口部を備え、かつ前記装飾体を収納する装身具用枠体と、
この装身具用枠体内に収納され、前記開口部の位置に配設した装飾体と、前記装身具用枠体と前記装飾体の両者を連結する錐形のコイルバネを備え、
前記装身具用枠体には錐形のコイルバネの大径部分の端部を取り付け、他方前記装飾体には錐形のコイルバネの小径部分の端部を取り付けることにより、前記装身具用枠体に作用するかすかな揺れでも前記装飾体が増幅された状態で揺れるようにしたことを特徴とする揺れる装身具。
【請求項２】
前記装身具用枠体における錐形のコイルバネの大径部分の端部の取付部位が、前記装身具用枠体の適所に立設した連結用ポストと、該連結用ポストに設けたコイルバネの挿通孔とを有し、該挿通孔にコイルバネの先端を挿通した上、コイルバネを前記連結用ポストに溶接してなることを特徴とする請求項１に記載の揺れる装身具。
【請求項３】
前記装飾体における錐形のコイルバネの小径部分の端部の取付部位が、前記装飾体の適所に立設した連結用ポストと、該連結用ポストに設けたコイルバネの嵌合溝とを有し、該嵌合溝にコイルバネの先端をはめ込んで固定してなることを特徴とする請求項１または２に記載の揺れる装身具。